(57)【要約】【課題】端末装置をユーザー自身が設置する場合、ユーザー毎の様々な通信環境、設置環境、ユーザー事情に対応する必要があった。【解決手段】各種情報の入力を行う入力部１０と、設定データ送信要求またはプログラム送信要求を送信する送信要求送信部１９と、設定データを受信する設定データ受信部２０と、プログラム情報を受信するプログラム情報受信部２１と、受信した内容に応じた文書及び用紙が正しくセットできたことを確認するためのテスト印字とを出力させるプリンタ部１３と、センターから指示された内容で送信レベルを調整する送信レベル調整部１８と、受信状態を検出して受信レベルを調整する受信レベル検出調整部２２とを設けた。【選択図】図２
2007183784.tif 000002
【特許請求の範囲】
【請求項１】
各種の情報を入力可能な端末装置と、当該端末装置からの電話回線を介しての要求により設定データ及びプログラム情報を配信するデータベース装置とを備える情報端末システムであって、
前記端末装置は、
各種情報の入力を行う入力部と、
当該入力部からの所定の入力情報から設定データ送信要求またはプログラム送信要求を生成する送信要求生成部と、
電話回線を介して発呼して、当該送信要求生成部により生成された設定データ送信要求またはプログラム送信要求を電話回線を介して前記データベース装置へ送信する送信要求送信部と、
前記データベース装置から送信された設定データを受信する設定データ受信部と、
前記データベース装置から送信されたプログラム情報を受信するプログラム情報受信部と、を有し、
前記データベース装置は、
前記端末装置から送信された設定データ送信要求を受信する設定データ送信要求受信部と、
プログラム送信要求を受信するプログラム送信要求受信部と、
各種の設定データ及びプログラム情報を格納する情報格納部と、
上記各送信要求情報に応答して対応する設定データまたはプログラム情報を前記情報格納部から取得して送信する情報送信部と、を有する情報端末システムにおいて、
前記端末装置は、
前記端末装置の入力部から所定の文字列が入力されることにより、前記設定データ送信要求送信部に自動的に発呼させ、更に上記設定データ送信要求及びプログラム送信要求を前記データベース装置へ送信させる端末制御部を備えることを特徴とする情報端末システム。
【請求項２】
請求項１記載の情報端末システムにおいて、
前記データベース装置は、
前記設定データ送信部によって上記設定データ送信要求に対応する設定データを送信させるデータベース制御部を有し、
また、前記端末装置は、プリンタ部と、前記データベース制御部が送信した設定データを受信したことを検出する受信検出部を有し、
前記端末制御部は、当該受信検出部が上記設定情報を受信した後に、その旨を示す文書を前記プリンタ部から出力させることを特徴とする情報端末システム。
【請求項３】
請求項２記載の情報端末システムにおいて、前記端末装置が前記プリンタ部が前記文書を出力するより以前に、前記プリンタ部で使用する用紙が正しくセットできたことを確認するためのテスト印字を、前記プリンタ部から出力させることを特徴とする情報端末システム。
【請求項４】
請求項２記載の情報端末システムにおいて、前記端末装置は表示部を有し、前記プリンタ部が上記文書を出力した後、前記端末装置の設定が完了した旨の文章を表示し、前記端末装置の所定のボタンが押下されることにより、前記端末制御部は、前記端末装置の所定機能を作動可能な状態にすることを特徴とする情報端末システム。
【請求項５】
各種の情報を入力可能な端末装置と、当該端末装置からの電話回線を介しての要求によりプログラム情報を配信するデータベース装置とを備える情報端末システムであって、
前記端末装置は、
各種情報の入力を行う入力部と、
当該入力部からの所定の入力情報からプログラム送信要求を生成する送信要求生成部と、
電話回線を介して発呼して、当該送信要求生成部により生成されたプログラム送信要求を電話回線を介して前記データベース装置へ送信する送信要求送信部と、
前記データベース装置から送信されたプログラム情報を受信するプログラム情報受信部と、
前記送信要求送信部の送信レベルを調整する送信レベル調整部と、
前記データベース装置からのプログラム情報の受信レベルを調整する受信レベル調整部と、を有し、
前記データベース装置は、
前記端末装置から送信されたプログラム送信要求を受信するプログラム送信要求受信部と、
各種のプログラム情報を格納する情報格納部と、
上記送信要求情報に応答して対応するプログラム情報を前記情報格納部から取得して送信するプログラム情報送信部と、
前記プログラム情報受信部のプログラム要求情報の受信状態を検出する検出部と、を有し、当該検出部の検出結果は、前記プログラム情報送信部から前記端末装置へ送信される情報端末システムにおいて、
前記端末装置は、
前記端末装置の入力部から所定の文字列が入力されることにより、前記プログラム送信要求送信部に自動的に発呼させ、更に上記プログラム送信要求を前記データベース装置へ送信させ、かつ、前記データベース装置の検出部が検出した結果に基づいて、前記受信レベル調整部及び前記送信レベル調整部により受信レベル及び送信レベルを共に調整させる端末制御部を備えることを特徴とする情報端末システム。
【請求項６】
請求項５記載の情報端末システムにおいて、前記データベース装置は、前記検出部の検出結果を送信後、前記プログラム情報送信部によって上記プログラム送信要求に対応するプログラム情報を送信させるデータベース制御部を有することを特徴とする情報端末システム。
【請求項７】
請求項５記載の情報端末システムにおいて、前記端末装置の端末制御部は、前記プログラム情報受信部が前記データベース装置からのプログラム情報を受信した後、前記受信レベル調整部及び前記送信レベル調整部による受信レベル及び／又は送信レベルを元に戻すことを特徴とする情報端末システム。
【発明の詳細な説明】
【技術分野】
【０００１】
本発明は、その装置やシステムの設置において人的作業を軽減する端末装置及び情報端末システムに関する。
【背景技術】
【０００２】
従来、決済端末などの端末装置をユーザーが使用する場所へ設置する場合、専門の作業者によって設置を行うのが一般的であった。これは、端末装置が備える通信機能の現場調整を行う必要があり、またユーザー毎に異なるオプション機能設定を設置現場で行う必要があるためである。これに対して、当該設置時にかかる費用を抑えることを目的とした業界の流れから、専門の作業者を不要とし、ユーザーのみによって設置を完遂させる方法が検討され、実施されてきている。そのような代表例として、ユーザー毎のオプション設定について、磁気カードに書き込んだ情報を利用してセンターへアクセスすることにより、ユーザー毎に異なるオプション機能の設定データを取得するものがある（例えば、特許文献１参照）。
【特許文献１】特開２００５−２６７２７０号公報
【発明の開示】
【発明が解決しようとする課題】
【０００３】
しかしながら、専門の作業者に頼らずに端末装置を設置する場合、上記のように磁気カードを使用すると、製品価格を上昇させ、またユーザーはその磁気カードの保管等に苦慮することになる。
【０００４】
そこで本発明は、端末装置の設置をユーザーが行う場合において、極めて簡単な設定により設置作業が行える端末装置及び情報端末システムを提供することを目的とする。
【課題を解決するための手段】
【０００５】
上記の目的を達成するため、端末装置には、各種情報の入力を行う入力部と、当該入力部からの所定の入力情報から設定データ送信要求またはプログラム送信要求を生成する送信要求生成部と、電話回線を介して発呼して、当該送信要求生成部により生成された設定データ送信要求またはプログラム送信要求を電話回線を介して前記データベース装置へ送信する送信要求送信部と、前記データベース装置から送信された設定データを受信する設定データ受信部と、前記データベース装置から受信した内容に応じた文書及び用紙が正しくセットできたことを確認するためのテスト印字とを出力させるプリンタ部と、前記データベース装置から受信した内容に応じた文書を出力させる表示部と、前記データベース装置から送信されたプログラム情報を受信するプログラム情報受信部と、前記送信要求送信部の送信レベルを調整する送信レベル調整部と、前記データベース装置からのプログラム情報の受信レベルを調整する受信レベル調整部と、を備える。
【０００６】
また、データベース装置は、前記端末装置から送信された設定データ送信要求を受信する設定データ送信要求受信部と、プログラム送信要求を受信するプログラム送信要求受信部と、各種の設定データ及びプログラム情報を格納する情報格納部と、上記各送信要求情報に応答して対応する設定データまたはプログラム情報を前記情報格納部から取得して送信する情報送信部と、前記プログラム送信要求受信部のプログラム要求情報の受信状態を検出する検出部とを備える。
【発明の効果】
【０００７】
本発明により、ユーザーのみで設置する場合に、端末装置を専門の作業員に頼らず、当該設置を高い確率で成功させることができるようになり、対応可能なユーザーの範囲を拡大することができる。これらは、端末装置をユーザーのみで設置する場合の制限事項を少なくすることができる事を意味し、事業を行う上で非常に有用である。
【発明を実施するための最良の形態】
【０００８】
第１の発明は、各種の情報を入力可能な端末装置と、当該端末装置からの電話回線を介しての要求により設定データ及びプログラム情報を配信するデータベース装置とを備える情報端末システムであって、上記端末装置は、各種情報の入力を行う入力部と、当該入力部からの所定の入力情報から設定データ送信要求またはプログラム送信要求を生成する送信要求生成部と、電話回線を介して発呼して当該送信要求生成部により生成された設定データ送信要求またはプログラム送信要求を電話回線を介して上記データベース装置へ送信する送信要求送信部と、上記データベース装置から送信された設定データを受信する設定データ受信部と、上記データベース装置から送信されたプログラム情報を受信するプログラム情報受信部と、を有し、上記データベース装置は、上記端末装置から送信された設定データ送信要求を受信する設定データ送信要求受信部と、プログラム送信要求を受信するプログラム送信要求受信部と、各種の設定データ及びプログラム情報を格納する情報格納部と、上記各送信要求情報に応答して対応する設定データまたはプログラム情報を上記情報格納部から取得して送信する情報送信部と、を有する情報端末システムにおいて、上記端末装置は、上記端末装置の入力部から所定の文字列が入力されることにより、上記設定データ送信要求送信部に自動的に発呼させ、更に上記設定データ送信要求及びプログラム送信要求を上記データベース装置へ送信させる端末制御部を備える。この構成により、ユーザーのみで設置する場合に、端末装置を専門の作業員に頼らず、当該設置を高い確率で成功させることができるようになり、対応可能なユーザーの範囲を拡大することができる。
【０００９】
第２の発明では、上記データベース装置は、上記設定データ送信部によって上記設定データ送信要求に対応する設定データを送信させるデータベース制御部を有し、また、上記端末装置は、プリンタ部と、上記データベース制御部が送信した設定データを受信したことを検出する受信検出部を有し、上記端末制御部は、当該受信検出部が上記設定情報を受信した後に、その旨を示す文書を上記プリンタ部から出力させる。この構成により、データベース側から送信された設定データを端末装置側で受信し、印字させることにより、端末装置に不慣れなユーザに対しても、当該受信があったことを明確に知らせることができる。
【００１０】
第３の発明は、上記端末装置が上記プリンタ部が上記文書を出力するより以前に、上記プリンタ部で使用する用紙が正しくセットできたことを確認するためのテスト印字を、上記プリンタ部から出力させる。この構成により、端末装置に不慣れなユーザであっても確実に用紙セットをすることができる。
【００１１】
第４の発明では、上記端末装置は表示部を有し、上記プリンタ部が上記文書を出力した後、上記端末装置の設定が完了した旨の文章を表示し、上記端末装置の所定のボタンが押下されることにより、上記端末制御部は、上記端末装置の所定機能を作動可能な状態にする。この構成により、ユーザは所定の機能が使用可能な状態となったことを容易に確認することができる。
【００１２】
第５の発明は、各種の情報を入力可能な端末装置と、当該端末装置からの電話回線を介しての要求によりプログラム情報を配信するデータベース装置とを備える情報端末システムであって、上記端末装置は、各種情報の入力を行う入力部と、当該入力部からの所定の入力情報からプログラム送信要求を生成する送信要求生成部と、電話回線を介して発呼して、当該送信要求生成部により生成されたプログラム送信要求を電話回線を介して上記データベース装置へ送信する送信要求送信部と、上記データベース装置から送信されたプログラム情報を受信するプログラム情報受信部と、上記送信要求送信部の送信レベルを調整する送信レベル調整部と、上記データベース装置からのプログラム情報の受信レベルを調整する受信レベル調整部と、を有し、上記データベース装置は、上記端末装置から送信されたプログラム送信要求を受信するプログラム送信要求受信部と、各種のプログラム情報を格納する情報格納部と、上記送信要求情報に応答して対応するプログラム情報を上記情報格納部から取得して送信するプログラム情報送信部と、上記プログラム情報受信部のプログラム要求情報の受信状態を検出する検出部と、を有し、当該検出部の検出結果は、上記プログラム情報送信部から上記端末装置へ送信される情報端末システムにおいて、上記端末装置は、上記端末装置の入力部から所定の文字列が入力されることにより、上記プログラム送信要求送信部に自動的に発呼させ、更に上記プログラム送信要求を上記データベース装置へ送信させ、かつ、上記データベース装置の検出部が検出した結果に基づいて、上記受信レベル調整部及び上記送信レベル調整部により受信レベル及び送信レベルを共に調整させる端末制御部を備える。この構成により、ユーザーのみで設置する場合に、端末装置を専門の作業員に頼らず、送受信の通信状態が悪い場合でも、当該設置を高い確率で成功させることができるようになり、対応可能なユーザーの範囲を拡大することができる。
【００１３】
第６の発明では、上記データベース装置は、上記検出部の検出結果を送信後、上記プログラム情報送信部によって上記プログラム送信要求に対応するプログラム情報を送信させるデータベース制御部を有する。この構成により、データベース装置は送受信の通信状態を良い状態にして、端末装置に対して当該プログラム情報を通信状態によって欠落させることなく送信することができる。
【００１４】
第７の発明では、上記端末装置の端末制御部は、上記プログラム情報受信部が上記データベース装置からのプログラム情報を受信した後、上記受信レベル調整部及び上記送信レベル調整部による受信レベル及び／又は送信レベルを元に戻す。この構成により、通信状態の変化に即座に対応することができる。
【００１５】
（実施の形態）
以下、本発明の実施の形態について、図面を参照しながら説明を行う。図１は、この発明の実施の形態の概略構成を示すブロック図であり、この図を用いて端末装置１の構成及び動作の概略を説明する。端末装置１は物販店や飲食店等の加盟店に設置され、商品代金等をクレジットカードやデビットカードなどを用いて決済を行うために使用され、ネットワークセンター２及びメーカーセンター３と公衆回線網４を経由して接続することができる。
【００１６】
また、端末装置１は、磁気カード５またはＩＣカード６を処理するためのカードリーダライタ部１２を有し、通常、カード利用者の磁気カード５またはＩＣカード６から読み込まれたデータと、入力部１０から入力した商品代金等の金額データや決済条件などのデータとを、ネットワークセンター２へモデム機能を有する送受信部１５を介して送信する。ネットワークセンター２は、カード会社７や銀行８など、更に上位に位置するシステムと接続しており、端末装置１を用いて処理したデータが、ネットワークセンター２を経由して上位システムへ送信され決済処理が行われる。決済処理の結果は、表示部１１及びプリンタ部１３に出力され、プリンタ部１３から出力した伝票を、利用明細としてカード利用者へ手渡す。
【００１７】
一方で、端末装置１を加盟店に導入するために設置をする際には、メーカーセンター３と接続して設定データを取得する必要があり、また、メーカーセンター３に当該端末装置の最新プログラムが存在する場合にはそのプログラム情報の取得をも行う必要がある。メーカーセンター３からの各種データの取得によって、ネットワークセンター２に接続するための条件が整うので、更に運用に必要な設定データを取得するために、ネットワークセンター２へ接続してデータを取得し、端末装置１が使用できる状態にする必要がある。
【００１８】
本発明の実施の形態は、端末装置１の設置に関するものであり、以降当該設置について詳細に説明する。図２は、図１で示した端末装置１について、より詳しく説明するものである。図１で示した端末装置１に、メーカーセンター３のデータベース装置２４へ端末設定データ要求またはプログラム情報要求を行うための送信要求生成部１７を設け、送信要求送信部１９から端末設定データ要求またはプログラム情報要求を送信する。この送信要求送信部１９には送信出力レベルの送信レベル調整部１８を設けてあり、端末制御部１４から調節することにより、データベース装置２４に対する送信レベルを変更することができる。
【００１９】
また、データベース装置２４から送信された設定データは設定データ受信部２０で、プログラム情報はプログラム情報受信部２１で受信する。これら受信部には受信レベル検出調整部２２を設けてあり、端末制御部１４から検出及び調整できることにより、データベース装置２４からの受信レベルを最適な状態に変更できる。受信データ検出部２３は、データベース装置２４から受信した設定データの内容をチェックする。
【００２０】
図３は、図１で示したメーカーセンター３のモデム機能を有するデータベース装置２４についてより詳しく説明するものである。端末装置１からの、設定データ送信要求は設定データ送信要求受信部２５で、プログラム送信要求はプログラム送信要求受信部２６でそれぞれ受信する。このときの受信レベルなどの情報は検出部２８により測定される。設定データ送信要求を受けたデータベース装置２４は、情報格納部３０から当該端末の設定データを抽出して、情報送信部２７から端末装置１へ送信する。また、プログラム送信要求を受けた場合は、情報格納部３０から当該端末の最新プログラムを抽出して、情報送信部２７から端末装置１へ送信する。
【００２１】
図４は、端末装置１をメーカーが受注し、出荷するまでの概略を示す図である。メーカーでは、加盟店から端末装置１の設置申し込みを受注データ３３によって受け、工場での端末装置１の生産を行うが、ユーザー自身によって設置を行う場合には、端末装置毎の固有情報を印刷した登録票（店舗固有情報登録票３４）を追加添付して出荷を行う。このとき、ユーザーの事情により店舗毎にメッセージを付加したい場合には、データベース装置２４に登録した店舗個別指示データ３５を登録票に付加して印字することが可能である。尚、従来通りに専門の作業員による設置を行う場合には、店舗固有情報登録票は不要である。
【００２２】
図５は、店舗固有情報登録票を示す図である。店舗固有情報登録票には、設置先情報、利用開始可能日付、端末番号、及び受注情報を一意に特定可能なコード（以下、プロダクトキーと呼ぶ。）を印刷しておく。プロダクトキーは店舗固有情報登録票毎にデータベース装置２４で自動生成され、設置作業の時にこのコードを入力することで、データベース装置２４の設定データ及びプログラム情報を一意に検索することができる値である。尚、プロダクトキーには、誤入力を検出するめのチェックデジットを付加してあり、入力間違いを検出できる。この様に受注情報を一意に特定するための方法として、プロダクトキーを用いることで、ユーザー毎に固有の専用磁気カードを作成する必要がなく、コストの低減と管理の簡素化が可能である。また、店舗固有情報登録票には、お知らせ欄として受注情報毎の任意メッセージを印字可能にしておき、ユーザー毎の諸事情に合わせた対応を可能としておく。
【００２３】
図６は、端末装置１をユーザー自身が設置する際の設置処理を示すフローチャートである。端末装置１がユーザーに直送され、ユーザーの手元に届くと、先ずは開梱して同梱物の確認と設置場所の決定を行う（ステップＳ１）。そして、本体に付属する周辺機器の接続を行い（ステップＳ２）、電源ケーブルや回線ケーブルのセット（ステップＳ３）を行ったあと、ロール紙のセット（ステップＳ４）を行う。
【００２４】
次に、電源スイッチをＯＮ（ステップＳ５）にすると、回線種別の自動検出が動作（ステップＳ６）し、プッシュ回線かダイヤルパルス回線かの設定を自動で行う。ここで、ロール紙のセットが正しくできていることを操作者に確認してもらうため、端末装置１はテスト印字を行い、操作者に印字状態の確認を誘導する（ステップＳ７）。これは、ロール紙をセットする時に表裏を間違ってセットした場合や、ロール紙先頭付近の印字できない部分が残っていないかを検出するために実施するもので、ロール紙両端まで文字を印字するパターンを出力することによって、操作者が確認できるようにする。
【００２５】
次に、前述した店舗固有情報登録票に印刷されたプロダクトキーの入力を操作者が行う（ステップＳ８）。このプロダクトキーには誤入力のチェックデジットが含ませてあるので、間違って入力されたことを検出した場合には、エラー画面を表示して訂正入力を誘導する。
【００２６】
プロダクトキーの入力が完了すると、回線ケーブルが接続できていることの確認が行われ、メーカーセンター３のデータベース装置２４へ自動発呼が行われる（ステップＳ９）。そして、データベース装置２４に対して、プロダクトキーを付加して設定データの送信要求を行うことにより、データベース装置２４では、データベースから当該端末の設定データを検索し、抽出することが可能となる。この抽出できたデータは、端末装置１へ送信され、端末装置１では、受信したデータを端末装置１内の記憶装置にセットする（ステップＳ１０）。ここまでで、設定データの取得が完了したため、引き続いてプログラム情報の取得を行う（ステップＳ１１）。
【００２７】
次に、ネットワークセンター２へ自動発呼を行い（ステップＳ１２）、ネットワークセンター２からＤＬＬデータ、すなわちアプリケーション毎の設定データを受信する（ステップＳ１３）。ネットワークセンター２からの設定データ受信が完了したあと、ネットワークセンター２の各アプリケーション毎のアクセスポイントに対して、発呼を自動で行い、疎通確認を行う（ステップＳ１４）。端末装置１が複数アプリケーションをサポートする場合には、ステップＳ１２からＳ１４を繰り返し実施する（ステップＳ１５）。一連の処理が完了すると、端末装置１はメーカーセンター３のデータベース装置２４へ結果を伝えるため、再度メーカーセンター３へ自動発呼を行い（ステップＳ１６）、データベース装置２４に対し設置処理の完了を通知する（ステップＳ１７）。最後に、端末装置１は、設置処理の結果を伝票印字し、操作者に対して使用可能状態になったことを伝える（ステップＳ１８）。
【００２８】
図７は、設置処理の結果を印字した伝票を示すものである。伝票は通常の業務で使用するロール紙を利用しており、操作者がひと目で結果を知ることができるようにしている。
また、伝票の下欄には、プロダクトキー入力の結果、端末装置１に設定された設置処理の内容を出力することができる。更に、伝票の下欄には操作者に対する任意の文章を出力することができ、ユーザー毎に異なる事務連絡などを伝えることができるようにしている。尚、設置処理の結果は画面にも出力する。
【００２９】
図８は、端末装置１がデータベース装置２４から設定データ及びプログラム情報を取得する際に、送受信レベルの調整を示すフローチャートである。端末装置１のプログラムは、設置操作の中で操作者が入力したプロダクトキーを端末情報要求にセットしてデータベース装置２４へ送信する（ステップＳ５０）。データベース装置２４では、受信した端末情報要求に対して、プロダクトキーを基にデータベースを検索し、当該端末に必要な設定データをデータベースから抽出する（ステップＳ５１）。データベース装置２４は抽出した設定データを、端末情報データにセットして端末装置１へ送信する（ステップＳ５２）。
【００３０】
次に、端末装置１では、データベース装置２４から受信した設定データを記憶部１６に格納し（ステップＳ５３）、正常受信した旨の端末情報取得結果をデータベース装置２４へ送信する（ステップＳ５４）。以上の構成と動作によって、従来、専門の作業員が設置申込内容を確認しながら、現地で設定を行っていた操作が不要になり、データベース装置２４から受信した設定データによって自動的に設定が完了する。
【００３１】
次に、通信回線の送受信レベルの自動調整について説明する。端末装置１を設置する場合、現地調整の際にプログラムを最新バージョンへ更新する場合がある。このときデータベース装置２４からオンラインで最新プログラム情報をダウンロードして取得する方法が行われるが、プログラムダウンロードは通信時間が長くなる傾向にあるため、通信回線を良好な状態に調整した上で実施する必要がある。
【００３２】
そこで、端末装置１の設定データ受信部２０が端末設定データを取得した後、引き続きプログラムダウンロード要求を送信する前に、端末装置１の受信レベル検出調整部２２は、通信回線の状態をチェックするためのコマンドをモデム機能を有する設定データ受信部２０に対して発行する。これに対し、設定データ受信部２０は、通信状態でのキャリア信号から受信レベルやＳ／Ｎ比などの通信品質を表す情報を検出し、当該結果を受信レベル検出調整部２２へ応答する（ステップＳ５５）。端末装置１側が通信回線の状態をチェックする間は、データベース装置２４では回線を切断することなく、次の要求であるプログラムダウンロード要求の受信待ち状態となる。次に、端末装置１は、端末装置１の送受信部１５で検出した受信レベル及びＳ／Ｎ比をプログラムダウンロード要求にセットし、データベース装置２４へ送信する（ステップＳ５６）。次に、データベース装置２４では、上記プログラムダウンロード要求を受信し、データベース制御部２９がデータベースを検索して当該端末がプログラムダウンロードが必要かどうかの判断を自動で行う（ステップＳ５７）。
【００３３】
ここで、ステップＳ５７の判断結果が出るまでの時間を利用して、データベース装置２４でも、データベース装置側での通信回線の状態チェックを行うために、検出部２８はコマンドをモデムに対して発行し、受信レベルやＳ／Ｎ比などの通信品質を表す情報を測定する（ステップＳ５８）。データベース装置側で検出した通信回線の状態と、端末装置側で検出した通信回線の状態とを使用して、データベース装置２４は端末装置１のモデムの調整が必要かどうかの判断を行う。その判断はデータベース装置２４に設定している基準値と比較して、受信レベルが小さい場合にレベルの上昇が必要であると判断し、受信レベルが大きい場合にレベルの低下が必要であると判断する方法を用いる。
【００３４】
ここで、一般的にデータベース装置等のセンターは、多数の端末からのアクセスがあるため、特定の端末の回線環境のためだけにモデムの調整をすることができないため、モデムの調整を実施できるのは端末装置側のみである。このため、データベース装置２４は、端末装置１のモデム送出レベル及び受信ゲインの調整を行うための指示をオンラインで行うこととなる。
【００３５】
上記の指示は状態応答にセットして端末装置１に送信され（ステップＳ５９）、端末装置１ではその指示に従って動作を行う。指示の内容には２種類あり、一方は通信回線の状態が良好であるため引き続き処理を行えるもの、他方は通信回線が良好でないため端末装置１に対して一旦切断し、モデムの送出レベル及び受信ゲインを指示した値に調整を行った上で再接続するよう指示を行うものである（ステップＳ６０）。
【００３６】
この結果、端末装置１とデータベース装置２４間の通信回線を良好な状態になるよう調整できるので、プログラム情報のダウンロードを開始する（ステップＳ６１）。プログラム情報のダウンロード終了後は、ダウンロード結果を端末情報のダウンロードと同様にデータベース装置２４へ送信する（ステップＳ６２）。
【００３７】
以上によって通信回線の自動調整を利用したプログラムダウンロードが完了するので、端末装置１は通信回線を切断し、次の処理、すなわち図６に示したステップ１２へ進む。
【００３８】
なお、モデムの調整結果は、端末装置１の設定により、プログラムダウンロード終了後元に戻す方法と、調整結果を保持して以降の処理でも自動調整された状態で運用する方法とを選択できる様にしている。しかも、端末装置１の手動設定だけでなく、データベース装置２４からの設定データによる自動設定が可能である。
【産業上の利用可能性】
【００３９】
本発明の端末装置及び情報端末システムにより、端末装置の設置を専門の作業員に頼らなくても行うことができるようになり、産業上の利用可能性が高い。
【図面の簡単な説明】
【００４０】
【図１】本発明の一実施の形態に係る情報端末システムの概略構成を示すブロック図
【図２】本発明の一実施の形態に係る情報端末システムを構成する端末装置を示すブロック図
【図３】本発明の一実施の形態に係る情報端末システムを構成するデータベース装置を示すブロック図
【図４】本発明の一実施の形態に係る端末装置の受注から出荷までを示す図
【図５】本発明の一実施の形態に係る店舗固有情報登録票を示す図
【図６】本発明の一実施の形態に係る端末装置の設置処理を示すフローチャート
【図７】本発明の一実施の形態に係る結果票を示す図
【図８】本発明の一実施の形態に係る送受信レベルの調整を示すフローチャート
【符号の説明】
【００４１】
１    端末装置
２    ネットワークセンター
３    メーカーセンター
４    公衆回線網
５    磁気カード
６    ＩＣカード
７    カード会社
８    銀行
９    その他のセンター
１０    入力部（端末装置）
１１    表示部（端末装置）
１２    カードリーダライタ部（端末装置）
１３    プリンタ部（端末装置）
１４    端末制御部（端末装置）
１５    送受信部（端末装置）
１６    記憶部（端末装置）
１７    送信要求生成部（端末装置）
１８    送信レベル調整部（端末装置）
１９    送信要求送信部（端末装置）
２０    設定データ受信部（端末装置）
２１    プログラム情報受信部（端末装置）
２２    受信レベル検出調整部（端末装置）
２３    受信データ検出部（端末装置）
２４    データベース装置
２５    設定データ送信要求受信部（データベース装置）
２６    プログラム送信要求受信部（データベース装置）
２７    情報送信部（データベース装置）
２８    検出部（データベース装置）
２９    データベース制御部（データベース装置）
３０    情報格納部（データベース装置）
３１    入力部（データベース装置）
３２    表示部（データベース装置）
３３    受注データ
３４    店舗固有情報登録票
３５    店舗個別指示データ
【図１】
2007183784.tif 000003
【図２】
2007183784.tif 000004
【図３】
2007183784.tif 000005
【図４】
2007183784.tif 000006
【図５】
2007183784.tif 000007
【図６】
2007183784.tif 000008
【図７】
2007183784.tif 000009
【図８】
2007183784.tif 000010